(57)【要約】【課題】使用者が装着した際に物理的な干渉を抑制可能になる。【解決手段】透過型表示装置１００は、光を照射する光源１０と、前記光源１０から照射された光を偏向する光偏向部２０と、保持部材３０とを備える。保持部材３０は、前記光源１０を保持する光源保持部３１と前記光偏向部２０を保持する偏向保持部３２とを有する。前記偏向保持部３２は、前記光源保持部３１に対して上下方向又は左右方向に延びる。【選択図】図１
2019179224.tif 000002
【特許請求の範囲】
【請求項１】
光を照射する光源と、
前記光源から照射された光を偏向する光偏向部と、
前記光源を保持する光源保持部と前記光偏向部を保持する偏向保持部とを有し、前記光源保持部に対して前記偏向保持部が上下方向又は左右方向に延びる保持部材と、
を備える透過型表示装置。
【請求項２】
前記偏向保持部は、左右方向に延び、
前記光源保持部は、前記偏向保持部から上方に向かって延びる請求項１に記載の透過型表示装置。
【請求項３】
前記光偏向部と前記偏向保持部とは、それぞれ二組設けられ、
前記偏向保持部は、左右に間隔をあけて二つの前記光偏向部をそれぞれ下方から保持し、
前記光源保持部は、前記光偏向部よりも左右方向の両外側にそれぞれ配置されている請求項２に記載の透過型表示装置。
【請求項４】
前記光偏向部の上方に配置され、二つの前記光源保持部に渡るように形成された上枠部を備える請求項３に記載の透過型表示装置。
【請求項５】
前記偏向保持部及び前記上枠部は、前方に凸となる曲線状に形成されている請求項４に記載の透過型表示装置。
【請求項６】
前記偏向保持部は、左側に配置される左側偏向保持部と、右側に配置される右側偏向保持部とを係脱可能に連結する偏向保持部連結部を備え、
前記上枠部は、左側に配置される左側上枠部と、右側に配置される右側上枠部とを係脱可能に連結する上枠連結部を備える請求項４又は５に記載の透過型表示装置。
【請求項７】
前記偏向保持部連結部は、前記左側偏向保持部と前記右側偏向保持部とを、互いに上下方向に延びる軸線回りに揺動可能に連結し、
前記上枠連結部は、前記左側上枠部と前記右側上枠部とを、前記軸線回りに揺動可能に連結する請求項６に記載の透過型表示装置。
【請求項８】
請求項１から７の何れか一項に記載の透過型表示装置を備えるマスク。
【請求項９】
光を照射する光源と、前記光源から照射された光を偏向する光偏向部と、前記光源及び前記光偏向部を保持する保持部材と、を備えた透過型表示装置の前記保持部材を分割して、それぞれ分割した分割体をマスクの内部空間に挿入し、前記透過型表示装置を前記内部空間で組み立てる透過型表示装置の取付方法。
【請求項１０】
光を照射する光源と、前記光源から照射された光を偏向する光偏向部と、前記光源及び前記光偏向部を保持する保持部材と、を備えた透過型表示装置の前記保持部材を、揺動させて折り曲げた状態でマスクの内部空間に挿入し、前記透過型表示装置を前記内部空間で広げる透過型表示装置の取付方法。
【発明の詳細な説明】
【技術分野】
【０００１】
この発明は、透過型表示装置、マスク、及び、透過型表示装置の取付方法に関する。
【背景技術】
【０００２】
使用者の周囲の視野を確保しながら、その視野内に任意の映像を重ねて表示できる透過型表示装置が知られている。
特許文献１には、透過型表示装置として眼鏡型のヘッドマウントディスプレイが記載されている。特許文献１に記載のヘッドマウントディスプレイは、眼鏡のフレーム部分に光源、波面形状変更部、操作部、制御部及びヘッド本部を備えている。特許文献１に記載のヘッドマウントディスプレイは、眼鏡のレンズ部分に偏向部を備えている。
【先行技術文献】
【特許文献】
【０００３】
【特許文献１】特許第５２１６７６１号公報
【発明の概要】
【発明が解決しようとする課題】
【０００４】
特許文献１に記載の透過型表示装置は、眼鏡型である。そのため、眼鏡のフレーム部分が、使用者の側頭部にまで周り込み、使用者の側頭部に接して前後方向に延びている。そのため、特許文献１に記載の透過型表示装置は、防塵マスクや防毒マスクのように顔面周縁部に密着して顔面を覆うタイプのマスクと物理的に干渉して装着できない場合があるという課題がある。
【０００５】
この発明は、上記事情に鑑みてなされたものであり、使用者が装着した際に物理的な干渉を抑制可能な透過型表示装置、マスク、及び、透過型表示装置の取付方法を提供することを目的とする。
【課題を解決するための手段】
【０００６】
この発明の第一態様によれば、透過型表示装置は、光を照射する光源と、前記光源から照射された光を偏向する光偏向部と、前記光源を保持する光源保持部と前記光偏向部を保持する偏向保持部とを有し、前記光源保持部に対して前記偏向保持部が上下方向又は左右方向に延びる保持部材と、を備える。
【発明の効果】
【０００７】
上記透過型表示装置によれば、使用者が装着した際に物理的な干渉を抑制可能になる。
【図面の簡単な説明】
【０００８】
【図１】この発明の第一実施形態における透過型表示装置の概略構成を示す正面図である。
【図２】この発明の第一実施形態における透過型表示装置の概略構成を示す側面図である。
【図３】この発明の第二実施形態におけるマスクの分解斜視図である。
【図４】この発明の第二実施形態におけるマスクの斜視図である。
【図５】この発明の第二実施形態における透過型表示装置の光学系の構成を示す上面図である。
【図６】この発明の第二実施形態における透過型表示装置の斜視図である。
【図７】この発明の第二実施形態における透過型表示装置の上面図である。
【図８】この発明の第三実施形態における透過型表示装置の分解斜視図である。
【図９】この発明の第三実施形態における透過型表示装置の組立方法のフローチャートである。
【図１０】この発明の第四実施形態における透過型表示装置の分解斜視図である。
【図１１】この発明の第四実施形態における透過型表示装置の組立方法のフローチャートである。
【発明を実施するための形態】
【０００９】
次に、この発明の実施形態における透過型表示装置、マスク、及び、透過型表示装置の取付方法を図面に基づき説明する。
【００１０】
（第一実施形態）
図１は、この発明の第一実施形態における透過型表示装置の概略構成を示す正面図である。図２は、この発明の第一実施形態における透過型表示装置の概略構成を示す側面図である。
図１、図２に示すように、この第一実施形態における透過型表示装置１００は、光源１０と、光偏向部２０と、保持部材３０と、を備えている。
【００１１】
光源１０は、光偏向部２０に向けてビーム（光）を照射する。光源１０は、ビームを走査して、光偏向部２０に映像を表示させる。この実施形態における光源１０は、光源１０の前方に配置された光偏向部２０に向けてビームを照射する。
光偏向部２０は、光源１０から照射されたビームを偏向する。この光偏向部２０は、光源１０の光をユーザの眼Ｅの瞳孔に回折・集光するように形成されている。
【００１２】
保持部材３０は、光源１０と光偏向部２０とをそれぞれ保持する。保持部材３０は、光源保持部３１と、偏向保持部３２と、を備えている。
光源保持部３１は、光源１０を保持している。この実施形態で例示する光源保持部３１は、上下方向に延びている。
【００１３】
偏向保持部３２は、光偏向部２０を保持している。この実施形態で例示する偏向保持部３２は、左右方向に延びている。つまり、偏向保持部３２は、光源保持部３１に対して左右方向に延びている。この実施形態で例示する偏向保持部３２は、光偏向部２０を下方から支持している。
【００１４】
上述した第一実施形態では、保持部材３０が、上下方向及び左右方向に延びるように形成されている。そのため、使用者が透過型表示装置１００を装着した際に、透過型表示装置が使用者の側頭部に回り込まない。したがって、例えば、防塵マスクや防毒マスクなど、使用者の顔面の周縁をシールするマスク等を装着した際に、透過型表示装置１００とマスク等との物理的な干渉が生じることを抑制できる。
【００１５】
なお、第一実施形態においては、光源保持部３１が上下方向に延びて、偏向保持部３２が左右方向に延びている場合について説明した。しかし、偏向保持部３２が上下方向に延びて、光源保持部３１が左右方向に延びるようにしても良い。
さらに、第一実施形態では、偏向保持部３２が光偏向部２０を下方から支持する場合を例示したが、光偏向部２０を上方から支持したり、光偏向部２０を左方又は右方から支持したりしても良い。
【００１６】
第一実施形態の透過型表示装置１００は、使用者の左眼を対象にして、偏向保持部３２の右側に光源保持部３１が配置されている場合を例示した。しかし、光源保持部３１は、使用者の右眼を対象としたものであってもよい。この場合、偏向保持部３２の左側に光源保持部３１を配置すればよい。また、使用者の左眼を対象にした透過型表示装置１００と、使用者の右眼を対象にした透過型表示装置１００とを同時に用いるようにしても良い。この場合、左眼用の透過型表示装置と右眼用の透過型装置とを一体に形成しても良い。
【００１７】
（第二実施形態）
次にこの発明の第二実施形態における透過型表示装置及びマスクを図面に基づき説明する。
図３は、この発明の第二実施形態におけるマスクの分解斜視図である。図４は、この発明の第二実施形態におけるマスクの斜視図である。図５は、この発明の第二実施形態における透過型表示装置の光学系の構成を示す上面図である。図６は、この発明の第二実施形態における透過型表示装置の斜視図である。図７は、この発明の第二実施形態における透過型表示装置の上面図である。
【００１８】
図３、図４に示すように、この第二実施形態におけるマスク５０は、マスク本体５１と、透過型表示装置２００と、を備えている。
マスク本体５１は、防塵マスクや防毒マスク等、使用者の顔面の周縁をシールする、いわゆるフルフェイスマスクである。このマスク本体５１は、左右の中央部ほど前方に向かって突出する凸曲面をなす透明シールド部５２を備えている。使用者は、この透明シールド部５２を介して前方の視界が確保されている。この実施形態における透明シールド部５２は、上方ほど後方に向かうように傾斜している場合を例示しているが、上方ほど後方に向かうように傾斜する構成に限られない。なお、前後方向、上下方向、左右方向は、マスク５０を装着した使用者から見た方向を意味する。
【００１９】
マスク本体５１は、使用者の顔面（図示せず）の周縁と接触するシール部５３を備えている。マスク本体５１は、図示しない固定具によって、使用者の顔面に常時押し付けて装着することが可能となっている。この第二実施形態で例示するマスク本体５１は、使用者の口元に近い透明シールド部５２よりも下方の位置に、フィルターＦや吸着缶Ｃ等を備えている。
【００２０】
ここで、使用者がマスク５０を装着して活動を行う場合、周囲の視界や環境は、劣悪である場合が多い。このような劣悪な環境下で使用されるマスク５０は、寿命が短い場合が多いため、この第二実施形態で例示するマスク本体５１は、専用品では無く、汎用品であり、透過型表示装置２００を着脱することで、容易に交換を可能としている。
【００２１】
図３から図６に示すように、透過型表示装置２００は、光源２１０と、光偏向部２２０と、保持部材２３０と、を備えている。
光源２１０は、第一実施形態と同様に、光源２１０の前方に配置された光偏向部２２０に向けてビーム（光）を照射する。この第二実施形態においては、左右一対の光源２１０が設けられている。これら二つの光源２１０は、それぞれビームを走査して、別々の光偏向部２２０に映像を表示させる。光源２１０は、光源２１０の前方に配置された光偏向部２２０に向けてビームを照射する。
【００２２】
光偏向部２２０は、光源２１０から照射されたビームを偏向する。この第二実施形態においては、左右一対の平板状の光偏向部２２０が設けられている。この第二実施形態において、左側に配置された光源２１０と左側に配置された光偏向部２２０とが対をなし、右側に配置された光源２１０と右側に配置された光偏向部２２０とが対をなしている。言い換えれば、光偏向部２２０と偏向保持部２３２とは、それぞれ二組設けられている。光偏向部２２０は、第一実施形態と同様に、光源２１０のビームを使用者の眼Ｅの瞳孔に回折・集光するように形成されている。第二実施形態における光偏向部２２０は、光源２１０によって照射されたビームを、光偏向部２２０の後方に偏向する。この第二実施形態における光偏向部２２０は、透明素材により形成されていて、使用者は、前方視界にビームによる映像を重ねて視認することができる。
【００２３】
保持部材２３０は、光源２１０と光偏向部２２０とをそれぞれ保持する。保持部材２３０は、光源保持部２３１と、偏向保持部２３２と、上枠部２３３と、を備えている。この第二実施形態においては、偏向保持部２３２と、光源保持部２３１と、上枠部２３３とは、分割不能に一体成形されている。
【００２４】
光源保持部２３１は、光源２１０を保持している。光源保持部２３１は、二つ設けられて上述した光源２１０を一つずつ支持している。これら光源保持部２３１は、光偏向部２２０よりも左右の外側に配置されている。これら光源保持部２３１は、マスク本体５１の内部空間５１Ａにおいて、透明シールド部５２の左右縁部５２ａ（図中、左縁部５２ａのみ示す）に沿うように上下方向に延びている。これら光源保持部２３１は、使用者がマスク５０を装着した際に、光源保持部２３１は、使用者の眼Ｅの視界に入らない左右外側の位置に配置される。
【００２５】
偏向保持部２３２は、光偏向部２２０を保持している。より具体的には、二つの光偏向部２２０を保持している。この第二実施形態で例示する偏向保持部２３２は、左右方向に延びている。この偏向保持部２３２は、二つの光偏向部２２０をそれぞれ下方から支持している。言い換えれば、二つの光源保持部２３１は、偏向保持部２３２から上方に向かって延びている。偏向保持部２３２によって保持された二つの光偏向部２２０は、左右に間隔をあけて、使用者の左右の眼Ｅの前方にそれぞれ配置される。
【００２６】
この第二実施形態で例示する偏向保持部２３２は、上述した二つの光源保持部２３１のそれぞれの下縁２３１ａの間を渡るように形成されている。偏向保持部２３２は、マスク本体５１の内部空間５１Ａにおいて、透明シールド部５２の下端の縁部５２ｂに沿うように左右方向に延びている。偏向保持部２３２は、第一実施形態と同様に、光源２１０よりも前方で、且つ上方ほど光源２１０から離れるように僅かに傾斜した姿勢となるように光偏向部２２０を保持している。偏向保持部２３２は、更に、左側の光偏向部２２０の後面が斜め左外側を向き、右側の光偏向部２２０の後面が斜め右外側を向くように、光偏向部２２０を支持している。
【００２７】
上枠部２３３は、光偏向部２２０の上方に配置されている。上枠部２３３は、二つの光源保持部２３１に渡るように形成されている。この第二実施形態における上枠部２３３は、マスク本体５１の内部空間５１Ａにおいて、透明シールド部５２の上端の縁部５２ｃに沿うように左右方向に延びている。つまり、保持部材２３０は、前方から見て、使用者の視界を囲む環状に形成されている。
【００２８】
図７に示すように、偏向保持部２３２と上枠部２３３とは、前方に向かって凸となる曲線状に形成されている。具体的には、左右の中心が最も前方に配置されて、左右両側に向かうにつれて後方に配置されるように湾曲している。
このように形成された透過型表示装置２００は、使用時に使用者の顔面が配置される後方側からマスク本体５１に対して内蔵させることが可能となっている。なお、透過型表示装置２００は、マスク本体５１に対して固定可能にしても良い。
【００２９】
上述した第二実施形態の透過型表示装置２００によれば、偏向保持部２３２は、左右方向に延び、光源保持部２３１は、偏向保持部２３２から上方に向かって延びている。したがって、使用者が透過型表示装置２００を装着した際に、透過型表示装置２００が使用者の側頭部に回り込まない。そのため、例えば、防塵マスクや防毒マスクなど、使用者の顔面の周縁をシールするマスク５０等を装着した際に、透過型表示装置２００とマスク本体５１等との物理的な干渉が生じることを抑制できる。
【００３０】
上述した光偏向部２２０と偏向保持部２３２とは、それぞれ二組設けられている。偏向保持部２３２は、左右に間隔をあけて二つの光偏向部２２０をそれぞれ下方から保持している。光源保持部２３１は、光偏向部２２０よりも左右方向の両外側にそれぞれ配置されている。したがって、光偏向部２２０の左右両外側に光源保持部２３１を配置し、これら光源保持部２３１に保持された光源２１０からのビームを左右両外側から光偏向部２２０に照射することができる。そのため、使用者の視界に光源２１０が入ることを抑制しつつ、使用者の左右両目の視界にそれぞれ光偏向部２２０を配置することができる。
【００３１】
上述した保持部材２３０は、上枠部２３３を備えている。上枠部２３３は、光偏向部２２０の上方に配置され、二つの光源保持部２３１に渡るように形成されている。そのため、保持部材２３０を前方から見て環状に形成することができる。したがって、保持部材２３０の強度を向上して、光源２１０と光偏向部２２０との相対位置が変化することを抑制できる。
【００３２】
上述した偏向保持部２３２及び上枠部２３３は、前方に凸となる曲線状に形成されている。そのため、マスク本体５１部の透明シールド部５２の周縁の形状に応じた形状にできるとともに、偏向保持部２３２及び上枠部２３３の強度を確保することができる。したがって、保持部材２３０をマスク本体５１部に装着可能な形状としつつ、強度低下を抑制できる。
【００３３】
上述したマスク本体５１部と透過型表示装置２００とは分離できる。そのため、マスク本体５１部と透過型表示装置２００との何れか一方が劣化した場合に、劣化した一方のみを交換することができる。そのため、マスク５０自体を交換する場合と比較して、ランニングコストを低減できる。
【００３４】
周囲の視界や環境が劣悪な場合、一般に、両手が塞がっていたり手袋をしていたりして、手に情報源を持って情報を得ることが困難な場合がある。しかし、第二実施形態では、マスク本体５１部の中に透過型表示装置２００を内蔵できるため、外部環境から透過型表示装置２００を保護することができる。
【００３５】
（第三実施形態）
次にこの発明の第三実施形態における透過型表示装置及びマスクを図面に基づき説明する。なお、この第三実施形態は、第二実施形態の保持部材を、左右に分割可能に構成した点でのみ相違する。そのため、第二実施形態と同一部分に同一符号を付して説明するとともに、重複する説明を省略する。
【００３６】
図８は、この発明の第三実施形態における透過型表示装置の分解斜視図である。
図８に示すように、この第三実施形態における透過型表示装置３００は、第二実施形態と同様に、光源２１０と、光偏向部２２０と、保持部材３３０と、を備えている。
【００３７】
保持部材３３０は、光源保持部３３１と、偏向保持部３３２と、上枠部３３３と、を備えている。
光源保持部３３１は、第二実施形態の光源保持部３３１と同様の構成であり、二つ設けられて、光源２１０を一つずつ支持している。これら光源保持部３３１は、光偏向部２２０よりも左右の外側に配置されている。なお、図示は省略するが、光源保持部３３１は、第二実施形態の光源保持部３３１と同様に、マスク本体の内部空間において、透明シールド部の左右縁部に沿うように上下方向に延びている。これら光源保持部３３１は、使用者がマスクを装着した際に、光源保持部３３１は、使用者の眼の左右外側の視界に入らない位置に配置される。
【００３８】
偏向保持部３３２は、二つの光偏向部２２０を保持している。この第三実施形態で例示する偏向保持部３３２は、左右方向に延びている。この偏向保持部３３２は、二つの光偏向部２２０をそれぞれ下方から支持している。言い換えれば、二つの光源保持部３３１は、偏向保持部３３２から上方に向かって延びている。偏向保持部３３２によって保持された二つの光偏向部２２０は、左右に間隔をあけて、使用者の左右の眼の前方にそれぞれ配置されている。
【００３９】
偏向保持部３３２は、第一偏向保持部３３２Ａと第二偏向保持部３３２Ｂとを備えている。これら第一偏向保持部３３２Ａと第二偏向保持部３３２Ｂとは、左右方向の中央の端部３３２Ａｔ，３３２Ｂｔ同士を前後方向に重ねて、これら端部３３２Ａｔ，３３２Ｂｔ同士をビスＢ等により締結可能とされている。これにより、第一偏向保持部３３２Ａと、第二偏向保持部３３２Ｂとは、それぞれ左右方向に直列に配置される。つまり、偏向保持部３３２は、ビスＢ等による締結を解除することで、左右に分割可能となっている。
【００４０】
第一偏向保持部３３２Ａと、第二偏向保持部３３２Ｂとの少なくとも一方には、ビスＢ等の締結具を前後方向に貫通するための長孔ｈ１が形成されている。長孔ｈ１は、第一偏向保持部３３２Ａ及び第二偏向保持部３３２Ｂの長手方向（左右方向）に長い形状となっている。図８においては、第一偏向保持部３３２Ａの端部３３２Ａｔに長孔ｈ１が形成されている場合を例示している。なお、第一偏向保持部３３２Ａと第二偏向保持部３３２Ｂとが連結される位置は、左右方向の中央に限られない。端部３３２Ａｔ，３３２Ｂｔ及びビスＢによって、この発明の偏向保持部連結部が構成されている。
【００４１】
上枠部３３３は、二つの光源保持部３３１に渡るように形成されている。上枠部３３３は、マスク本体５１（図３参照）の内部空間５１Ａ（図４参照）において、透明シールド部５２の上端の縁部５２ｂに沿うように左右方向に延びている。上枠部３３３は、第一上枠部３３３Ａと第二上枠部３３３Ｂとを備えている。これら第一上枠部３３３Ａと第二上枠部３３３Ｂとは、偏向保持部３３２の第一偏向保持部３３２Ａと同様に、左右方向の中央の端部３３３Ａｔ，３３３Ｂｔ同士を前後方向に重ねて、これら端部３３３Ａｔ，３３３Ｂｔ同士をビスＢ等により締結可能とされている。
【００４２】
これにより、第一上枠部３３３Ａと、第二上枠部３３３Ｂとが、それぞれ左右方向に直列に配置される。つまり、上枠部３３３は、偏向保持部３３２と同様に、ビスＢ等による締結を解除することで、左右に分割可能となっている。また、第一上枠部３３３Ａと、第二上枠部３３３Ｂとの少なくとも一方には、ビスＢ等の締結具を前後方向に貫通するための長孔ｈ２が形成されている。長孔ｈ２は、第一上枠部３３３Ａ及び第二上枠部３３３Ｂの長手方向（左右方向）に長い形状となっている。図８においては、第一上枠部３３３Ａの端部３３３Ａｔに長孔ｈ２が形成されている場合を例示している。なお、第一上枠部３３３Ａと第二上枠部３３３Ｂとが連結される位置は、左右方向の中央に限られない。端部３３３Ａｔ，３３３Ｂｔ及びビスＢによって、この発明の上枠連結部が構成されている。
【００４３】
上述した第三実施形態によれば、第一偏向保持部３３２Ａ及び第二偏向保持部３３２Ｂを、長孔ｈ１を介して連結し、第一上枠部３３３Ａ及び第二上枠部３３３Ｂを、長孔ｈ２を介して連結している。そのため、長孔ｈ１，ｈ２が左右方向に延びている分だけ、保持部材３３０の左右方向の寸法を調整することができる。したがって、様々なサイズのマスク本体５１に透過型表示装置３００を装着することが可能になるとともに、使用者の眼Ｅの間隔に合せて光偏向部２２０の配置を調整することが可能ととなり、透過型表示装置３００の商品性を向上できる。その一方で、左右方向における光偏向部２２０の配置を変更したとしても、光源２１０と、光源２１０からビームを照射される光偏向部２２０との位置関係は変化しないため、容易に透過型表示装置３００の左右方向のサイズを変更できる。
【００４４】
さらに、第三実施形態によれば、第一偏向保持部３３２Ａと第二偏向保持部３３２Ｂとが分離でき、第一上枠部３３３Ａと第二上枠部３３３Ｂとが分離できる。そのため、透過型表示装置３００のメンテナンス性を向上することができる。
【００４５】
図９に示すように、マスク本体５１に透過型表示装置３００を内蔵させる際に、保持部材３３０を左右に分割した分割体をそれぞれマスク本体５１の内部空間５１Ａの中に挿入し（ステップＳ０１）、その後、内部空間５１Ａの中で保持部材３３０を組み立てることができる（ステップＳ０２）。そのため、マスク本体５１の開口が狭い場合にも、透過型表示装置３００をマスク本体５１に内蔵させることができる。
【００４６】
なお、第三実施形態では、上枠部３３３を備える場合を例示したが、上枠部３３３は省略するようにしても良い。
【００４７】
（第四実施形態）
次にこの発明の第四実施形態における透過型表示装置及びマスクを図面に基づき説明する。なお、この第四実施形態は、第二実施形態の保持部材４３０を、左右に揺動可能に構成した点でのみ相違する。そのため、第二実施形態と同一部分に同一符号を付して説明するとともに、重複する説明を省略する。
【００４８】
図１０は、この発明の第四実施形態における透過型表示装置の分解斜視図である。
図１０に示すように、この第四実施形態における透過型表示装置４００は、第二、第三実施形態と同様に、光源２１０と、光偏向部２２０と、保持部材４３０と、を備えている。
【００４９】
保持部材４３０は、光源保持部４３１と、偏向保持部４３２と、上枠部４３３と、を備えている。
光源保持部４３１は、第二、第三実施形態の光源保持部４３１と同様の構成であり、二つ設けられて、光源２１０を一つずつ支持している。
偏向保持部４３２は、二つの光偏向部２２０を保持している。この偏向保持部４３２は、二つの光偏向部２２０をそれぞれ下方から支持している。偏向保持部４３２によって保持された二つの光偏向部２２０は、左右に間隔をあけて、使用者の左右の眼の前方にそれぞれ配置可能とされている。
【００５０】
偏向保持部４３２は、第一偏向保持部４３２Ａと第二偏向保持部４３２Ｂとを備えている。これら第一偏向保持部４３２Ａと第二偏向保持部４３２Ｂとは、左右方向の中央に配置されて上下方向に延びる揺動軸６０を介して連結されている。
【００５１】
同様に、上枠部４３３は、第一上枠部４３３Ａと第二上枠部４３３Ｂとを備えている。これら第一上枠部４３３Ａと第二上枠部４３３Ｂとは、左右方向の中央に配置されて上下方向に延びる揺動軸（図示せず）を介して連結されている。
【００５２】
すなわち、第一偏向保持部４３２Ａと第二偏向保持部４３２Ｂとは、揺動軸６０回りに互いに揺動可能となり、第一上枠部４３３Ａと第二上枠部４３３Ｂとは、揺動軸（図示せず）回りに互いに揺動可能となる。
これにより、第四実施形態における保持部材４３０は、上記のように揺動軸を介して連結されることで、第二実施形態のように、使用者の左右の眼の前にそれぞれ光偏向部２２０を配置した使用位置から、二つの光偏向部２２０をそれぞれ接近させた図９に示す折り畳み位置（折り曲げた状態）まで揺動させることが可能となる。
【００５３】
図１１に示すように、第四実施形態によれば、第三実施形態と同様に、マスク本体５１の開口が狭い場合であっても、透過型表示装置４００の保持部材４３０を折り畳み位置まで揺動させてマスク本体５１の内部空間５１Ａに挿入し、マスク本体５１に内蔵させることができる（ステップＳ１１）。さらに、マスク本体５１の内部空間５１Ａにおいて保持部材４３０を折り畳み位置から使用位置まで容易に広げることができる（ステップＳ１２）。
【００５４】
さらに、保持部材４３０を揺動可能なため、マスク本体５１の透明シールド部５２の形状に応じて、保持部材４３０の揺動角度を調整することが可能となる。その結果、透過型表示装置４００の形状を、マスク本体５１の形状に応じて最適化することができる。
【００５５】
なお、第四実施形態では、上枠部４３３を備える場合を例示したが、上枠部４３３は省略するようにしても良い。
【００５６】
（その他変形例）
この発明は、上述した各実施形態に限定されるものではなく、この発明の趣旨を逸脱しない範囲において、上述した各実施形態に種々の変更を加えたものを含む。すなわち、実施形態で挙げた具体的な形状や構成等は一例にすぎず、適宜変更が可能である。
【００５７】
上述した各実施形態において、光源１０，２１０を防水仕様としてもよい。このようにすることで、光源１０，２１０の防水性が確保され、使用者の汗などが付着しないように留意する必要が無くなる。そのため、透過型表示装置１００，２００，３００，４００の可用性を向上できる。
【００５８】
上述した第二実施形態から第四実施形態において、保持部材２３０，３３０，４３０に対して、光源２１０と光偏向部２２０との組合せを左右にそれぞれ一組ずつ、合計二組設ける場合について説明した。しかし、光源２１０と光偏向部２２０との組み合わせは、保持部材２３０，３３０，４３０に対して、左右何れか一組だけ設けるようにしても良い。
【符号の説明】
【００５９】
１０，２１０  光源
２０，２２０  光偏向部
３０，２３０，３３０，４３０  保持部材
３１，２３１  光源保持部
２３１ａ  下縁
３２，２３２，３３２  偏向保持部
２３３  上枠部
５０  マスク
５１  マスク本体
５２  透明シールド部
５２ａ  左右縁部
５２ｂ  縁部
５２ｃ  縁部
６０  揺動軸
１００，２００，３００，４００  透過型表示装置
【図１】
2019179224.tif 000003
【図２】
2019179224.tif 000004
【図３】
2019179224.tif 000005
【図４】
2019179224.tif 000006
【図５】
2019179224.tif 000007
【図６】
2019179224.tif 000008
【図７】
2019179224.tif 000009
【図８】
2019179224.tif 000010
【図９】
2019179224.tif 000011
【図１０】
2019179224.tif 000012
【図１１】
2019179224.tif 000013